(57)【特許請求の範囲】
【請求項１】
媒体用紙給紙装置ローラアセンブリにおいて、フレーム（５０）と、前記フレームに設けられた第１の軸を中心に回転するために前記フレーム上に回転可能に支持される予備給紙ローラ（８０）と、前記第１の軸に平行な前記フレームに設けられた第２の軸を中心に回転し、上方に旋回可能に取り付けられる用紙束ダンパ（１２０）とを備え、前記用紙束ダンパは、薄い媒体用紙にしわが生じるのを防ぐだけの重さを有し、媒体用紙の用紙束の表面に平行な前記予備給紙ローラに隣接した場所から給紙方向下流側に延在する表面を有し、前記用紙束からの個々の媒体用紙は、前記予備給紙ローラから媒体用紙の移動方向に前記用紙束の最上面から取り出され、厚い媒体用紙による前記用紙束ダンパの上方への移動を制限するように、前記用紙束ダンパは前記フレームと係合して規制されるので、前記厚い媒体用紙が前記予備給紙ローラによって付与される用紙移動中に、前記予備給紙ローラ下流側で上方に向かって角度をなす抑制壁（３６）との間で、前記厚い媒体用紙にわずかな曲げが付与されることを特徴とする媒体用紙給紙装置ローラアセンブリ。
【請求項２】
前記フレーム（５０）は、一対の離隔して配置される側面板（５４、５６）と、該側面板に相互に接続する少なくとも１つの横材（６０）とからなり、前記予備給紙ローラ（８０）は前記側面板によって支持されることを特徴とする請求項１に記載のローラアセンブリ。
【請求項３】
前記予備給紙ローラ（８０）および前記用紙束ダンパ（１２０）は、前記フレーム上に同軸に取り付けられることを特徴とする請求項２に記載のローラアセンブリ。
【請求項４】
前記第１の軸に平行な前記フレームに設けられた第３の軸を中心に回転するための、前記フレーム（５０）上に支持される分離ローラ（９０）と、前記フレーム上に回転可能に支持される前記予備給紙ローラ（８０、９０）を駆動するための複数のギヤ（８２、９８、１０２、１０４、１１０）とをさらに備えることを特徴とする請求項３に記載のローラアセンブリ。
【請求項５】
前記フレーム上の前記第３の軸に複数のフレーム支持軸受（９４、９６）をさらに備え、前記複数の軸受は、媒体用紙給紙装置（１０）内に離隔して前記フレームを回転可能に支持するように配置されていることを特徴とする請求項４に記載のローラアセンブリ。
【請求項６】
前記アセンブリは、媒体用紙給紙装置モジュールのために構成され、前記フレームに前記用紙ダンパと前記予備給紙ローラとが取り付けられた状態で、ユーザが取替え可能となっていることを特徴とする請求項５に記載のローラアセンブリ。
【発明の詳細な説明】
【０００１】
【発明の属する技術分野】
本発明は包括的には、スキャナ、プリンタ、ファクシミリ装置および複合機のような、単票用紙給紙装置を用いて、媒体の用紙束から、処理されることになる媒体の単票用紙を選別するドキュメント処理装置の技術に関する。
【０００２】
【従来の技術】
そのような装置は、用紙移動用のローラ、ベルトあるいはホイールを備えており、特に、本発明が関連する用紙給紙装置は、予備給紙ローラおよび予備給紙ローラから下流に離隔して配置される分離ローラの両方を用いる。用紙束係止板が、そのローラ間の用紙の移動経路に出入するように配置される。そのような装置内の磨耗あるいはそれ以外の損傷を受けたローラは、時々取り替える必要があり、交換修理の依頼および付帯費用が必要となる。
【０００３】
【発明が解決しようとする課題】
したがって、本発明の目的は、工場において容易に組み立てることができ、かつ熟練のサービス技術者を必要とすることなく、ユーザが保守することができる容易に取替え可能なローラを有するモジュール式単票用紙給紙装置を提供することである。
【０００４】
【課題を解決するための手段】
それゆえ、本発明は、
ａ）フレームと、
ｂ）第１の軸を中心に回転するために前記フレーム上に回転可能に支持される予備給紙ローラと、
ｃ）第１の軸に平行な第２の軸を中心に回転するために旋回可能に取り付けられる用紙束ダンパとを備える単票用紙給紙装置ローラアセンブリを備え、用紙束ダンパは、媒体の用紙束の表面に平行な予備給紙ローラに近接した場所から延在する表面を有し、用紙束からの個々の用紙は、予備給紙ローラから用紙の移動方向において取り出されることになる。
【０００５】
【発明の効果】
上記のように、本発明によれば、工場において容易に組み立てることができ、かつ熟練のサービス技術者を必要とすることなく、ユーザが保守することができる容易に取替え可能なローラを有するモジュール式の単票用紙給紙装置を実現することができる。
【０００６】
【発明の実施の形態】
図１の斜視図に見られるモジュール式用紙給紙装置１０は、プリンタ、スキャナ、ファクシミリ装置または複写機、あるいは先に記載された任意の装置の複合機のようなドキュメント処理モジュール（図示せず）を含むドキュメント処理装置の個別のユニットである。用紙給紙装置モジュール１０は、ドキュメント処理モジュール内の用紙移送機構に用紙束の上側から個々の用紙を給送するためのドキュメント処理モジュール（図示せず）に取り付けられる。
【０００７】
用紙給紙装置モジュール１０は給紙トレイ（図示せず）からなり、給紙トレイは、図１に示されるように用紙束支持表面２２上に支持される用紙束の上側から個々の用紙を左から右に移動させるための用紙移送経路を画定する用紙束支持表面２２と、直立壁の形をなす離隔して配置される側面２４、２６とを有する給紙フレーム２０に取り付けられる。側壁２４は、その目的は後に記載されるが、非円形のゲート２８と、一体に形成されるばね取付用ポスト３０とを有する軸取付用の台を含む。もう一方の側壁２６は、側壁２６への適当な留め具によって取り付けられるモータ支持板３４内に配置されるブッシュ開口部３２を設けられる。可逆電気ステップモータ３５がモータ支持板３４上に支持され、モータ支持板３４は側壁２６とともに、モータおよびモータ出力ギヤ（図示せず）のためのハウジングを画定する。
【０００８】
従来のように成形プラスチックからなる場合がある給紙フレーム２０は、上方に向かって角度をなし、用紙束支持表面２２から離隔した用紙束抑制壁３６を含み、抑制パッド３８が単票用紙分離ローラ９０の弧状の表面と係合するために配置され、好ましくはコルクからなるパッド４０が用紙予備給紙ローラ８０と係合する。本明細書で用いられる用語「ローラ」は、１つあるいは複数のローラ、離隔してあるいは隣接して同軸上に取り付けられるホイール、および離隔して配置されたローラの周囲に這わせた移動可能なベルトのような単票用紙の媒体を移動させるための等価物を含む。
【０００９】
横材６０によって連結される離隔して配置される側面部材あるいは板５２、５４から形成されるフレーム５０を含む取替え可能なローラボギーは、予備給紙ローラ８０と、その予備給紙ローラ８０の下流に位置する単票用紙分離ローラ９０とを支持する。側面板５４は、予備給紙ローラ８０および単票用紙分離ローラ９０の回転の中心を結ぶ線に概ね平行に延在する、一体に形成されるテールあるいはレバーアーム５６を有する。側面板５２、５４は、予備給紙ローラ支持軸のための軸受開口部６２、６４と、分離ローラ支持軸９２のための軸受開口部６６、６８とを含む。ギヤ保持板７０が、スペーサ用ポスト７４と留め具７６とによって、側面板５４から離隔して取り付けられる。側面板５４内の予備給紙ローラクラッチギヤ軸スロット５８が、ギヤ保持板７０内の予備給紙ローラクラッチギヤ軸取付用スロット７２と位置合わせされる。
【００１０】
用紙予備給紙ローラ８０は軸８１上に支持され、軸８１の端部はそれぞれ、側面板５２、５４内の開口部６２、６４に収容される。従来通りに、予備給紙ローラは、用紙束から取り出されることになる単票用紙の上側表面と係合するのに適した弾性表面あるいは表面構造を有する。同様に、単票用紙分離ローラ９０は軸９２上に支持され、その軸の端部は側面板５２、５４の軸受開口部６６、６８に収容される。用紙移送位置において、分離ローラ９０は、抑制パッド３８の表面とともに用紙分離ニップを形成する。分離ローラ軸９２は、後に記載される目的のためにその上に離隔して配置される支持軸受９４、９６を有し、分離ローラドライブギヤ９８も、分離ローラ９０を駆動するために軸９２上に取り付けられる。回転中の分離ローラ９０から動力を伝達し、分離ローラドライブギヤ８９、あるいは中間ギヤのうちの１つと常に係合される、好ましくは弾性歯を有する予備給紙ローラクラッチギヤ１１０を介して予備給紙ローラ８０を回転させるために、複数の中間ギヤ１０２、１０４が設けられる場合がある。クラッチギヤ１１０は軸上に支持され、その軸の端部は、弧状であり、クラッチギヤ１１０と絶えず係合されるドライブあるいは中間ギヤの回転軸の中央に配置されることが好ましいスロット５８、７２に収容される。
【００１１】
用紙束ダンパ１２０は、予備給紙ローラ支持軸８１上で自在に回動可能であり、支持表面２２上の媒体用紙の束の表面に平行に、予備給紙ローラ８０から用紙の移動方向の下流に延在する表面を有する。用紙束ダンパ１２０は、予備給紙ローラ８０と分離ローラ９０との間で薄い用紙にしわが生じるのを防ぐだけの十分な重さを有し、図６に示されるように横材６０のようなフレーム上の係止表面と係合するまで、用紙との接触、特に大量の用紙との接触によって上方に自在に旋回する。こうして、ローラフレーム５０は、予備給紙ローラ８０と、単票用紙分離ローラ９０と、ギヤと、設けられるなら用紙束ダンパ１２０とを支持し、それらはともに、後に記載されるモジュール式ローラ支持およびドライブアセンブリ２００によって支持される取替え可能ボギーを構成する。
【００１２】
モジュール式ローラ支持およびドライブアセンブリ２００は、給紙トレイ２０の離隔して配置される側壁２４、２６内の軸方向に位置合わせされた軸支持体内に収容される軸２０１から構成される。軸支持体のうちの１つはブッシュ開口部３２を備え、その中には軸の一端が挿入され、一方、部分的に非円形の形状を有する軸の他端は、適当な位置まで回動し、非円形の軸取付スロット２８を通って他の支持体内に収容される。また軸は、軸に回転しないように取り付けられる横方向に延在するばねアーム２０２を有し、アーム２０２は、そこから突出するばね保持体あるいはボス２０４を有する。付勢部材、好ましくは引張ばね２０６が、給紙トレイの側面上にあるばね保持体３０と、ばねアーム２０２上にあるボス２０４との間に接続される。ばね２０６は、ばねが引っ張られる際に、軸２０１の中心軸上を横切る。
【００１３】
取替え可能ボギーは、軸２０１に回転しないように取り付けられる、一対の離隔して配置されるボギー支持ロードアーム２１０、２１２間に支持される。またボギー支持アームは、用紙束係止リンク２５２を支持するための、離隔して軸方向に位置合わせされる支持ハブ２１４も備えることが好ましい。またロードアーム２１０、２１２は、その上に離隔して横方向に延在する用紙束係止ガイド２１６を有しており、分離ローラ軸９２上に離隔して配置される軸受９４、９６が、モジュール式ローラ支持およびドライブアセンブリ２００上に取外し可能ボギーを支持するために収容されるようにする、位置合わせされたボギー支持開口部あるいはスロット２１８、２２０を設けられることが好ましい。解放ボタン２３２および離隔して配置されるラッチフック２３４を有するボギー保持ラッチ２３０が、ボギー支持アーム２１０、２１２間に枢着され、ラッチは、ボギーラッチボタンと、ロードアーム２１０、２１２間に延在し、接続される横方向ブレースとの間に収容されるボギーラッチばね２３６によって、閉じた位置に付勢される。ラッチフック２３４は、分離ローラ軸９２の軸受９４、９６上にラッチフックが固定されるのを避けるために、ラッチが閉じた位置にあるとき、ボギー支持アームと係合する。
【００１４】
またボギーリフティングハンドル２４０が設けられることが好ましく、ハンドル２４０は支持軸２０１に回転しないように取り付けられる。リフティングハンドルは、ロードアーム２１０、２１２および取り付けられるボギーを持ち上げる前に、最初にハンドル２４０の上昇によってばね２４２が圧縮されるように、ロードアーム２１０上の受座と係合されるばね２４２によって、下方位置に付勢される。また圧縮ばね２４２は、ハンドル２４０の端部の接点を通して下方にボギーを付勢し、ボギーフレームの上側表面は媒体給紙位置にある予備給紙ローラ８０に力を付与し、以下に記載される従動節２６０が上方位置までボギーを上昇させるときに、従動節２６０のカム表面に対して上方にフレームテールあるいはレバーアーム５６を駆動する。リフティングハンドル２４０および引張ばね２０６は、ばね２０６が用紙を給送するためにボギーを下方に付勢し、ハンドルおよびボギーを上昇位置に保持し、紙詰まりを起こした用紙を取り除き、給紙経路を点検するのを容易にするように、オーバーセンター構造で設計されるであろう。
【００１５】
用紙束係止ガイド２１６間に垂直に案内される概ね長方形の板を含む用紙束係止板２５０が、予備給紙ローラ８０と単票用紙分離ローラ９０との間の用紙束係止リンク２５２に枢着され、そこから下方に延在する。用紙束係止リンク２５２は、用紙束係止板２５０が、予備給紙ローラ８０の下流、かつ単票用紙分離ローラ９０の上流の媒体用紙の移動経路に出入できるように、離隔して配置されるロードアーム２１０、２１２に枢着され、その間に支持される。下方に延在する脚部２５６は、従動節２６０と係合し、用紙束係止板２５０を昇降するために、用紙束リンク上に一体に形成される。
【００１６】
図１６に最もわかりやすく示されるように、その中にピボット開口部２６２を有する従動節２６０は、開口部２６２に収容される従動節支持ポスト２２２上に枢着され、ポストは、支持軸の２０１の軸に平行な方向にロードアーム２１２から外側に延在する。従動節２６０は、点２６４と、従動節２６０がその支持ポスト上で旋回し、ボギーをある程度上昇させる際に、ボギーテールレバーアーム５６と係合する円柱形の第１カム表面２６６（図１６Ａ）と、用紙束が用紙束係止板２５０に対して挿入されることになる際に、トレイ２０内の用紙束支持表面２２に対して第１カム表面上に支持される予備給紙ローラ８０とを有する。また従動節２６０は、用紙停止位置の内外に用紙束係止板を昇降するために、用紙束係止リンク２５２上の脚部２５６と係合する第２カム表面２６８も有する。従動節２６０上の第３カム表面２７０（図１６Ｃ）は、ボギーテールレバーアーム５６と係合するために設けられ、単票用紙給紙装置モジュールがドキュメント処理モジュールに設置されていないときに、本明細書では関係のない検査の目的で用いられる。また従動節２６０は、後に記載される目的のために、ピン２７２の形をとる、軸方向に突出する部分も含む。
【００１７】
またモジュール式ローラ支持およびドライブアセンブリ２００は、離隔して配置されるスイングアーム支持体２８４、２８６によって軸２０１に対して回転させるために、軸２０１上に軸方向に支持されるスイングアーム２８０も備える。スリーブ２９２の両側に取り付けられる、軸方向に離隔して配置されるギヤ２９１を有する動力入力ギヤアセンブリ２９０が、支持軸２０１に取り付けられる。軸方向に離隔して配置されるギヤ２９１のうちの１つが、モータ３５によって駆動される自動方向決定ギヤドライブ（図示せず）から供給される動力を受け取る。入力ギヤアセンブリ２９０上の軸方向に離隔して配置されるもう１つのギヤ２９１は、スイングアーム２８０上に支持されるクラッチギヤ２９４と絶えず係合される。クラッチギヤ２９４のための抗力ばね２９５も設けられる。スイングアーム２８０の側面にある図１６（３）に示されるポケット２９６は、入力ギヤアセンブリ２９０がモータ３５による回転の逆方向に回転する際に、軸２０１上のスイングアームの回転によって従動節２６０が上昇するように、従動節上のピン２７２を収容する。ここで、図１６（３）とは、図１６Ａから図１６Ｅまでの（３）の符号を付した図を示す。メインラッチギヤ２９４の歯と分離ローラドライブギヤ９８の歯との間の過係合（ｏｖｅｒ−ｅｎｇａｇｅｍｅｎｔ）を保護し、ボギーフレーム５０の上昇を抑制するために、動き制限フック３００も、分離ローラ軸９２の突出する端部と係合するためにスイングアーム２８０上に一体に形成される。
【００１８】
またロータリカムゼネバ３１０も入力ギヤアセンブリ２９０に取り付けられ、ギヤ２９１からスイングアーム２８０の遠い側面に、従動節２６０と位置合わせされて配置され、カム３１０が図１６（１）に示されるように順方向あるいは反時計方向に回転する際に、従動節上の点２６４がカムの円柱形表面と係合し、カム３１０の円柱形表面内のスロットの形の開口部３１２に進入できるようにする。ここで、図１６（１）とは、図１６Ａから図１６Ｅまでの（１）の符号を付した図を示す。入力ギヤアセンブリ２９０が逆方向に回転することにより、カム３１０は、スロット開口部３１２から点２６４を持ち上げ、新しい媒体用紙束を挿入するために、ボギーを上昇させ、用紙束係止板２５０を降下させるようにする。
【００１９】
カムゼネバ３１０を含む、スイングアーム２８０および入力ギヤアセンブリ２９０は全て軸２０１上に回動可能に支持されており、入力ギヤ２９１の一方をモータ出力ギヤ（図示せず）と位置合わせして軸方向に配置するために、軸に適当に取り付けられる保持体３２０によって軸上に保持され、他方のギヤ２９１は、スイングアーム２８０上に支持されるクラッチギヤ２９４と係合するために配置される。図１０に示されるように、保持体３２０は、入力ギヤ２９１との係合位置および離脱位置にモータ出力ギヤ（図示せず）を移動させるモータ出力ギヤ支持体によって係合されるような位置において入力ギヤ２９１に隣接する弧状、好ましくは円柱形状の表面３２２を有し、それによりモータ出力ギヤおよび入力ギヤ２９１の過係合を防ぐ。保持体３２０は、軸２０１上の適当に軸方向に配置される外周溝に収容されるスナップばねによって、あるいは任意の他の適当な手段によって、軸２０１上の適所に保持されることができる。弾性プラスチックから形成されるスプリットスリーブ３３０が、ボギーリフティングハンドル２４０を適当に位置決めするために、ボギーリフティングハンドル２４０に隣接する軸２０１の他端に弾発係合される。
【００２０】
（動作）
媒体用紙束は、予備給紙ローラ８０の下方の用紙給紙装置内に挿入され、予備給紙ローラ８０は最初に、用紙束の先端が用紙束係止板２５０と係合するまで用紙束が挿入されるようにするために、用紙束支持表面２２上のある距離に配置される。その後、入力ギヤアセンブリ２９０に対して順方向に入力動力を加えることにより、ゼネバカム３１０および開口部３１２が、従動節位置決め機構２６４がカム開口部３１２内に入ることができる位置まで回動する。その後、モータが連続して順方向に回転することにより、用紙束係止板２５０が持ち上がり、ボギーおよびローラ８０が用紙移送位置に入る。予備給紙ローラ８０が分離ローラ９０に対して減速駆動され、その後、分離ローラ９０はドキュメント処理モジュール（図示せず）内の用紙移動ローラに対して減速駆動されて、用紙は給紙装置を通して引っ張られるようになる。さらに、予備給紙ローラ８０および分離ローラ９０はクラッチ駆動され、媒体用紙によって増速駆動されるようになる。予備給紙ローラ抗力ばね８４が予備給紙ローラドライブギヤに抗力をかけ、予備給紙ローラ８０内にドエルが確立されるようにする。予備給紙ローラ８０は、媒体の用紙の前進中にドエルが累積されることができるように減速駆動され、その後、ドエルは、単票用紙の後縁が予備給紙ローラ８０を離れた後に使い果たされる。その際、このドエルによって、最初の用紙の後縁が、分離ローラ９０とトレイ２０との間に画定されるニップを離れる直前まで、第２の用紙が静止した状態のままになるように、予備給紙ローラを静止した状態にしておくことができる。
【００２１】
分離ローラ９０は下流のドキュメント処理ローラ（図示せず）に対して減速駆動されなければならないため、用紙給紙装置モジュールからの異常に高い後方引張力、および下流のドキュメント処理モジュールローラによって引っ張られる単票用紙によって引き起こされるドライブ装置内の不要な寄生トルク損失を防ぐために、分離ローラ９０は増速駆動状態にクラッチされる必要がある。それゆえ、分離ローラ９０のためのクラッチギヤ２９４は、ボギーが下方位置にある際に、係合する必要がある。また、用紙束係止板２５０は、ローラ８０、９０が媒体の単票用紙を移送するために駆動される際には必ず、上方位置になければならない。逆に、ボギーが上方にあり、用紙束係止板が下方にあり、システムが休止している際には、分離ローラ９０のためのクラッチギヤ２９４は離脱される。また、分離ローラクラッチギヤ２９４によって、分離ローラは、その用紙がドキュメント処理モジュールローラによって下流に引っ張られているときに、フリーホイール状態で動作できるようになる。
【００２２】
従動節位置決め機構２６４は、従動節２６０のカム表面２６６上のボギーフレーム５０上にあるテールレバーアーム５６による付勢に起因して、ゼネバカム３１０の円柱形表面に対して常に押し付けられる。リフティングアームと係合する圧縮ばね２４２がこの付勢を与えるが、当業者であれば、種々の代替形態を容易に想定することができる。それゆえ、位置決め機構２６４の一端にある点は、開口部３１２が位置決め機構２６４を通過して順方向に回転して移動する際には必ず、開口部３１２に押し付けられるが、位置決め機構２６４が開口部３１２を出た後に、カム３１０が同じ方向に回転し続けるとき、その点が開口部に進入するのを防ぐために、カム３１０内の開口部は曲面をなす。これは、従動節の４つの安定した動作位置を与える。
【００２３】
１．用紙束挿入あるいは上方−上方：予備給紙ローラ８０が給紙トレイから離隔して配置され、従動節２６０および突出ピン２７２が上方位置にあり、点２６４が、図１６Ａ（１）に示されるように、スロットの通過を予測して、カム３１０の円柱形表面と係合する。従動節２６０はボギーテールレバーアーム５６によって上方に付勢される。従動節とレバーアームが係合する表面間の摩擦係数は、レバーアームがカム３１０の表面に向けて従動節の点２６４を確実に押し付けるほど十分に小さくなければならない。またスイングアーム２８０も、図１６Ａ（２）、（３）に示されるように上方位置にあり、スイングアームポケット２９６の下側壁がピン２７２と係合される。
【００２４】
２．上方−下方：従動節２６０が上方位置にあるが、点２６４が図１６Ｂ（１）に示されるように開口部３１２内に移動しているため、予備給紙ローラ８０は依然として給紙トレイから離隔して配置される。カムが逆方向（図１６に示される反時計方向）に回転するときのみ、点２６４は開口部３１２に進入することに留意されたい。従動節上の第１カム表面２６６によって、従動節は、後続の位置のうちの１つに飛び越すことなく、安定した上方−下方状態を維持できるようになる。スイングアーム２８０が、図１６Ｂ（２）、（３）に示されるように、下方に移動し始め、その時点で、ポケット２９６の上側壁がピン２７２に係合する。
【００２５】
３．動作状態：この図１６Ｃ（１）〜（３）に示される位置は、供給用紙束から単票用紙を予め給送し、それを分離ニップに与え、その後、その用紙を装置の走査領域に駆動するために用いられる。予備給紙ローラ８０は、媒体の供給用紙束の上側に載置され、ハンドル２４０によって十分な用紙選別力で下方に付勢される。従動節および用紙束係止板は下方状態と同じ位置にあるが、従動節表面２７０とテールレバーアーム５６との間には隙間がある。これにより、リフティングハンドル２４０からの全ての力が、供給用紙束に対して予備給紙ローラを載置できるようにする。スイングアームは下方にあり、係合され、ボギークラッチギヤが係合される。その後、回転動力入力がローラ８０、９０を順方向に回転させる。
【００２６】
４、上方−下方：この位置は、モジュール式ローラ支持およびドライブアセンブリ２００を検査する際に用いられる。カム３１０が逆方向に回転する際に、予備給紙ローラ８０は下方位置にあり、従動節の点２６４は、テールレバーアーム５６の係合に起因してカム３１０内の開口部３１２に進入しており、従動節の第１カム表面２６６が、図１６Ｄ（１）に示されるように、その点を開口部３１２内に押し上げる。スイングアーム２８０は、入力が逆（時計）方向に回転する際に、図１６Ｄ（２）、（３）に示されるように上方の離脱位置にある。入力動力が順方向（反時計方向）に加えられる場合には、ポケット２９６には、スイングアームが係合位置内に下方に回転できようになるだけの十分な空間が存在する。
【００２７】
５．下方−下方：予備給紙ローラ８０および従動節２６０が下方にあり、点２６４は、図１６Ｅ（１）に示されるように、カムゼネバ内の開口部３１２に進入する準備ができている。またスイングアーム２８０は、図１６Ｅ（２）、（３）に示されるように下方位置にある。
【００２８】
従動節上の第２カム表面２６８は用紙束係止リンク２５２の脚部２５６と係合し、従動節が図１６ＤおよびＥに示される下方位置に回転する際に、用紙束係止板２５０を上昇させる。従動節２６０が上方位置まで回転する際に、用紙束係止リンクおよび用紙束係止板は、図１６Ａ、Ｂに示されるように降下する。
【００２９】
スイングアームポケット２９６の壁による従動節ピン２７２の係合によって、従動節２６０が上方位置にあるときに、ボギーも上方位置にあり、用紙束係止板２５０が下方位置にあり、スイングアーム上のメインクラッチギヤ２９４が分離ローラドライブギヤ９８と係合されないようになる。したがって、そのシステムは「ニュートラル」であり、入力ギヤアセンブリ２９０は、ローラ８０、９０のためのドライブ列と係合することなく、逆方向にいつまでも回転できるようになる。
【００３０】
メインクラッチギヤ２９４のための抗力ばね２９５は、クラッチギヤに、順方向に回転する際に係合する性質を付与し、逆方向に回転する際に離脱する動作および起動力を付与する。この起動力は、スイングアーム上のポケット２９６の表面によって従動節上のピン２７２に伝達される。先に説明されたオーバランクラッチを果たすために、スイングアーム２８０のある程度のオーバトラベルが可能になるように、ポケット表面間には十分な間隔がある。ポケット２９６の表面が、点２６４がゼネバカム３１０と最大量で係合した状態で、旋回支持ポスト２４６を中心に従動節を回転させるように、その表面には角度が付けられる。
【００３１】
ボギーフレーム５０上の用紙束ダンパ１２０はプラスチックから形成され、予備給紙ローラ８０と分離ローラ９０との間の領域においてしわが生じるのを防ぐために、予備給紙ローラ８０によって駆動される薄い媒体用紙を拘束するだけの十分な重みを有し、さらにその用紙が予備給紙ローラ８０と用紙束ダンパ１２０との間でしわが生じるのを防ぐために十分に軽い。また用紙束ダンパ１２０は、予備給紙ローラ８０によって付与される用紙移動中に、厚い媒体用紙にわずかな曲げを付与するために、その上方への移動時に係止される。用紙束ダンパ１２０は各用紙が通過した後に降下し、傾斜した抑制壁３６を上っている場合がある後続の媒体の用紙を押さえつけ、ごくわずかの用紙より多くの用紙が、その後に壁３６の上側を越えて駆動される傾向を低減する。用紙束ダンパ１２０は、上側の媒体用紙の表面上に重力によって載置される。用紙束ダンパ１２０の底面は、予備給紙ローラ８０の外側ドライブ表面に対して接線をなすように接触し、用紙束ダンパの表面が、入力用紙束の高さに関係なく、常に供給用紙束の上側用紙と平坦に接触するようにする。こうして、非常に堅い用紙をわずかに曲げるための用紙束ダンパ１２０とその堅い用紙との物理的な係合により、その用紙が抑制壁３６の頂部を越えて、供給用紙束から直線に移動するのを防ぎ、さらに別の用紙が抑制壁３６の頂端部を越えて上るのを落とし、用紙の移動方向に直交する曲げを与えることにより、堅い用紙に適当な形状を付与する。これは、単票用紙分離を妨害するようになる用紙の移動方向に平行な軸内で生じる場合がある用紙のカールあるいは他の不連続部を排除する。
【００３２】
モジュール式ローラ支持およびドライブアセンブリ２００は、ばね２０６を取り外すことにより、トレイ２０に対して容易に取付けおよび取外しすることができる。その後、支持軸２０１を適当な位置まで回動させ、支持軸が、トレイ２０の側面内の支持体から取り外されるようにすることができる。ローラ支持およびドライブアセンブリ２００全体を１つの支持軸２０１に取り付けることにより、その軸に取り付けられる種々の構造上の部品を正確に位置合わせし、載置し、位置決めできるようになる。
【００３３】
予備給紙ローラクラッチギヤ１１０は、静かに動作させるために、弾性材料から形成されるか、あるいはその上に弾性歯を有することが好ましい。クラッチギヤ１１０は、スロット５８、７２内に収容される軸上に支持され、その底面サドルが、クラッチギヤと予備給紙ローラドライブギヤ８２との過係合を防ぐ。予備給紙ローラ８０が増速駆動される際に、クラッチギヤ１１０は、その歯が予備給紙ローラドライブギヤ８２から離脱するまで、上方に移動する。スロットは、クラッチギヤが、それが係合される中間ドライブギヤから決して離脱しないように角度を付けられるか、あるいは弧状をなすことが好ましい。クラッチギヤ１１０に弾性歯を用いることにより、堅いプラスチック材料から形成されるクラッチギヤが駆動されるギヤと係合する際に生成される不快なクリック雑音が著しく低減されることがわかっている。
【００３４】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されないことを理解されたい。したがって、本発明は、均等の原則に従って適切に解釈される特許請求の範囲に記載された範囲内におけるいかなる形態または変更についても含むものである。
【００３５】
本発明は、以下に要約される。
【００３６】
１．  単票用紙給紙装置ローラアセンブリにおいて、
フレーム（５０）と、
第１の軸を中心に回転するために前記フレーム上に回転可能に支持される予備給紙ローラ（８０）と、
前記第１の軸に平行な第２の軸を中心に回転するために旋回可能に取り付けられる用紙束ダンパ（１２０）とを備え、
前記用紙束ダンパは、媒体の用紙束の表面に平行な前記予備給紙ローラに隣接した場所から延在する表面を有し、前記用紙束からの個々の用紙は、前記予備給紙ローラから用紙の移動方向において取り出されることを特徴とする単票用紙給紙装置ローラアセンブリ。
【００３７】
２．  前記用紙束ダンパ（１２０）は、薄い媒体用紙にしわが生じるのを防ぐだけの十分な重さを有し、厚い媒体用紙による前記用紙束ダンパの上方への移動を制限するように前記フレームと係合し、前記予備給紙ローラによって付与される用紙移動中に、前記厚い媒体用紙にわずかな曲げを付与することを特徴とする第１項に記載のローラアセンブリ。
【００３８】
３．  前記フレーム（５０）は、一対の離隔して配置される側面板（５４、５６）と、該側面板に相互に接続する少なくとも１つの横材（６０）とからなり、前記予備給紙ローラ（８０）は前記側面板によって支持されることを特徴とする第２項に記載のローラアセンブリ。
【００３９】
４．  前記予備給紙ローラ（８０）および前記用紙束ダンパ（１２０）は、前記フレーム上に同軸に取り付けられることを特徴とする第３項に記載のローラアセンブリ。
【００４０】
５．  前記第１の軸に平行な第３の軸を中心に回転するための、前記フレーム（５０）上に支持される分離ローラ（９０）と、前記フレーム上に回転可能に支持される前記ローラ（８０、９０）を駆動するための複数のギヤ（８２、９８、１０２、１０４、１１０）とをさらに備えることを特徴とする第４項に記載のローラアセンブリ。
【００４１】
６．  前記フレーム上の軸方向に位置合わせされるフレーム支持軸受（９４、９６）をさらに備え、前記軸受は、単票用紙給紙装置（１０）内の離隔して配置される支持体を収容するように構成されることを特徴とする第５項に記載のローラアセンブリ。
【００４２】
７．  前記アセンブリは、単票用紙給紙装置モジュールのために構成され、ユーザが取替え可能なボギーモジュールを備えることを特徴とする第６項に記載のローラアセンブリ。
【００４３】
（部品リスト）
ドキュメント処理装置
ドキュメント処理モジュール
用紙給紙装置モジュール１０
給紙シャーシあるいはフレーム２０
用紙束支持表面２２
側面−離隔して配置された壁２４、２６
一側面内の軸取付スロット２８
一側面上のばね保持体３０
他の側面内の軸ブッシュ開口部３２
他の側面上でモータ３５を支持するモータ支持板３４は、モータスイング（ギヤ支持）アーム（図示せず）を収容するドライブギヤハウジングを画定する。
【００４４】
抑制壁３６
紙送りＴＯＦ／ＢＯＦセンサ（図示せず）
分離ローラ抑制パッド３８
コルクパッド４０が予備給紙ローラと係合する。
【００４５】
ボギーフレーム５０
側面部材あるいは板５２、５４
一側面板５４上のテールレバーアーム５６
側面板５４内の予備給紙ローラクラッチギヤ軸取付軸受スロット５８
横材６０
予備給紙ローラ支持軸のための軸受開口部６２、６４
分離ローラ支持軸のための軸受開口部６６、６８
ギヤ保持体７０
ギヤ保持体内の予備給紙ローラクラッチギヤ軸取付スロット
スペーサ用ポスト７４
ギヤ支持軸受開口部／軸
留め具７６
予備給紙ローラ８０および支持軸８１
予備給紙ローラドライブギヤ８２および抗力ばね８４
分離ローラ９０
軸９２、離隔して配置される軸受９４、９６
分離ローラドライブギヤ９８
中間ギヤ１０２、１０４
予備給紙ローラクラッチギヤ１１０（好ましくは弾性）
予備給紙ローラ支持軸上で回動可能な用紙束ダンパ１２０（オプション）は抑制壁を上る用紙を押し下げる。
モジュール式ローラ支持およびドライブアセンブリ２００
軸２０１
ばねアーム２０２
ばね保持体２０４
付勢部材／引張ばね２０６
ボギー支持ロードアーム２１０、２１２
用紙束係止リンクのための支持ハブ２１４
用紙束係止ガイド２１６
位置合わせされた開口部あるいはボギー支持スロット（図示せず）
ボギーラッチ２３０（図示せず）
解放ボタン２３２
離隔して配置されたラッチフック２３４はロードアームスロット内にボギー分離ローラ支持軸を保持する。
【００４６】
ボギーラッチばね２３６
ボギーリフティングハンドル２４０、ばね２４２はロードアーム２１０と係合する。
【００４７】
従動節支持ポスト２４６（図面を必要とする）
用紙束係止板２５０
用紙束係止リンク２５２
ボギーラッチ解放ボタンのための安全器２５４
下方に延在する脚部２５６
従動節２６０
開口部２６２はロードアーム上の従動節支持ポストを収容する。
【００４８】
位置決め機構２６４あるいはタングはロータリゼネバカム内のスロットと係合する。
【００４９】
第１カム表面２６６（円柱形）はボギーテールレバーアームと嵌合する。
【００５０】
第２カム表面２６８は用紙束係止板を昇降する。
【００５１】
第３カム表面２７０は、単票用紙給紙装置がドキュメント処理装置に設置されていないときにのみ、ボギーテールレバーアームと係合する。
【００５２】
従動節を逆に持ち上げるスイングアーム上のポケット内に収容される従動節上のピン２７２
スイングアーム２８０
離隔して配置されるスイングアーム支持体２８４、２８６
スリーブ２９２の両端上に軸方向に離隔して配置されるギヤ２９１を有する供給ギヤアセンブリ２９０を含む自動方向決定（ＡＤＦ）ギヤドライブ、１つが、離隔して配置される支持体間で分離ローラドライブギヤと係合可能なクラッチギヤ２９４と係合される。
【００５３】
クラッチドライブギヤのための抗力ばね２９５
ポケット２９６は従動節ピン２７２を収容する。
【００５４】
動き制限フック３００は分離ローラ軸９２の突出する端部と係合する。
【００５５】
軸上に回動可能に支持されるスロットの形の開口部３１２を有するゼネバカム３１０
保持体３２０は、モータ出力および入力ギヤ２９１の過係合を防ぐように配置するために、モータ支持板上のモータスイングアームが衝当する円柱形表面３２２を有する。
【００５６】
スプリットスリーブ３３０
【図面の簡単な説明】
【図１】本発明による、媒体給紙トレイ、モジュール式ローラ支持アセンブリ、および取外し可能ローラボギーを含む単票用紙給紙装置モジュールの斜視図である。
【図２】本発明による、用紙給紙装置モジュールの平面図である。
【図３】図２の線３−３に沿って見た断面図である。
【図４】本発明による、ボギーの組立分解斜視図である。
【図５】本発明による、ボギーの平面図である。
【図６】本発明による、ボギー上の用紙束ダンパを示す、図５の線６−６に沿って見たボギーの断面図である。
【図７】本発明による、ボギーの右側立面図である。
【図８】Ａは一群のギヤおよび離脱した予備給紙ローラクラッチギヤを示す、図５の線８−８に沿って見たボギーの断面図である。Ｂは予備給紙ローラクラッチギヤの係合した部分を示す、ボギーの断面図である。
【図９】用紙給紙装置モジュールから取り外された、モジュール式ローラ支持アセンブリおよびボギーの平面図である。
【図１０】本発明による、モジュール式ローラ支持アセンブリの斜視図である。
【図１１】本発明による、ボギーリフティングハンドルを示す、図９の線１１−１１に沿って見たモジュール式ローラ支持アセンブリの断面図である。
【図１２】本発明による、ボギー支持ロードアームを示す、図９の線１２−１２に沿って見た断面図である。
【図１３】本発明による、ボギーラッチおよび用紙束係止板を示す、図９の線１３−１３に沿って見た断面図である。
【図１４】分離ローラドライバギヤから離脱したメインクラッチギヤを示す、図９の線１４−１４に沿って見た断面図である。
【図１５】本発明による、スイングアームとの従動節係合を示す、図９の線１５−１５に沿って見た断面図である。
【図１６Ａ】カムおよびスイングアームの動作を説明する図である。
【図１６Ｂ】カムおよびスイングアームの動作を説明する図である。
【図１６Ｃ】カムおよびスイングアームの動作を説明する図である。
【図１６Ｄ】カムおよびスイングアームの動作を説明する図である。
【図１６Ｅ】カムおよびスイングアームの動作を説明する図である。
【符号の説明】
５０    フレーム
５４、５６  側面版
６０    横材
８０    予備給紙ローラ
８２    予備給紙ローラドライブギヤ
９０    分離ローラ
９４，９６  フレーム支持軸受
９８    分離ローラドライブギヤ
１０２、１０４  中間ギヤ
１１０  予備給紙ローラクラッチギヤ
１２０  用紙束ダンパ
【図１】
0003628310.tif 000002
【図２】
0003628310.tif 000003
【図３】
0003628310.tif 000004
【図４】
0003628310.tif 000005
【図５】
0003628310.tif 000006
【図６】
0003628310.tif 000007
【図７】
0003628310.tif 000008
【図８】
0003628310.tif 000009
【図９】
0003628310.tif 000010
【図１０】
0003628310.tif 000011
【図１１】
0003628310.tif 000012
【図１２】
0003628310.tif 000013
【図１３】
0003628310.tif 000014
【図１４】
0003628310.tif 000015
【図１５】
0003628310.tif 000016
【図１６Ａ】
0003628310.tif 000017
【図１６Ｂ】
0003628310.tif 000018
【図１６Ｃ】
0003628310.tif 000019
【図１６Ｄ】
0003628310.tif 000020
【図１６Ｅ】
0003628310.tif 000021